(57)【要約】【課題】快適な着心地を実現できる上半身衣類を提供する。【解決手段】上半身衣類１は、前身頃３及び後身頃５で構成される上半身衣類であり、後身頃５は、当該後身頃５の幅方向の中央を通る中心線Ｌ１と重なる位置に設けられている立体部２０を有しており、後身頃５の中心線Ｌ１に沿った断面視において、立体部２０の内面２０ｓは、後身頃５の立体部２０以外の部分の内面５ｓよりも外側に位置している。【選択図】図２
2019178435.tif 000002
【特許請求の範囲】
【請求項１】
前身頃及び後身頃で構成される上半身衣類であって、
前記後身頃は、当該後身頃の幅方向の中央を通る中心線と重なる位置に設けられている立体部を有しており、
前記後身頃の前記中心線に沿った断面視において、前記立体部の内面は、前記後身頃の前記立体部以外の部分の内面よりも外側に位置している、上半身衣類。
【請求項２】
前記前身頃及び前記後身頃は、一対の袖刳りを構成しており、
前記立体部は、一対の前記袖刳りのそれぞれの脇下部を結ぶ直線以下の位置に設けられている、請求項１に記載の上半身衣類。
【請求項３】
前記後身頃は、着用者の背中に対応する背部と、前記着用者の肩に対応する２つの肩部と、を有しており、
前記立体部は、一方の前記肩部の上端と、当該肩部と前記中心線に対して反対側に位置する前記背部の下端部とを結ぶと共に前記中心線と交差する直線と重なる位置に設けられている、請求項１又は２に記載の上半身衣類。
【請求項４】
前記立体部は、前記後身頃の一部が立体縫製されている、請求項１〜３のいずれか一項に記載の衣類。
【請求項５】
前記立体部は、前記後身頃の一部が折り込まれているタックである、請求項１〜３のいずれか一項に記載の衣類。
【請求項６】
前記立体部は、前記後身頃の一部が縫い縮められているギャザーである、請求項１〜３のいずれか一項に記載の衣類。
【発明の詳細な説明】
【技術分野】
【０００１】
本発明は、上半身衣類に関する。
【背景技術】
【０００２】
従来の上半身衣類として、例えば、特許文献１に記載されている衣類がある。特許文献１に記載に上半身衣類は、肌に直接触れるように着用される上半身用の衣類であって、前身頃及び後身頃を備えている。
【先行技術文献】
【特許文献】
【０００３】
【特許文献１】特開２００２−１３８３０２号公報
【発明の概要】
【発明が解決しようとする課題】
【０００４】
従来のような上半身衣類では、温度が高い環境下で着用されると、着用者の汗によって肌に貼り付いたり、熱がこもって蒸れたりする。特に、背中の発汗量が多い傾向にあるため、上半身衣類の後身頃が背中に貼り付き易く、不快感を覚える要因となっている。
【０００５】
本発明は、快適な着心地を実現できる上半身衣類を提供することを目的とする。
【課題を解決するための手段】
【０００６】
本発明に係る上半身衣類は、前身頃及び後身頃で構成される上半身衣類であって、後身頃は、当該後身頃の幅方向の中央を通る中心線と重なる位置に設けられている立体部を有しており、後身頃の中心線に沿った断面視において、立体部の内面は、後身頃の立体部以外の部分の内面よりも外側に位置している。
【０００７】
本発明に係る上半身衣類では、後身頃が立体部を有する。後身頃の中心線に沿った断面視において、立体部の内面は、後身頃の立体部以外の部分の内面よりも外側に位置している。これにより、立体部は、空隙を形成している。したがって、上半身衣類では、立体部において、着用者の背中との間に空隙が設けられるため、後身頃が背中に貼り付くことを抑制できる。したがって、上半身衣類では、汗によって後身頃が背中に貼り付くことによる不快感を回避でき、快適な着心地を実現できる。
【０００８】
上半身衣類では、ひねり等が加わって後身頃が変形したとき、後身頃と背中との間の空気は、ゆとりのある部分に移動する。従来の上半身衣類では、後身頃が変形したとき、後身頃に小さな複数の横しわが発生し、身頃と背中との間の空気が両脇側に向かって移動するが、背中に接触する後身頃の面積が大きく、後身頃が背中に貼り付く。本発明に係る上半身衣類では、後身頃にひねりが加わって後身頃が変形したとき、立体部から斜め方向に大きなしわが発生し、後身頃と背中との間の空気は、上記中心線を含む位置に設けられている立体部から斜め方向に向かって移動する。そのため、上半身衣類では、立体部において、着用者の背中との間に斜め方向の空隙が設けられ、背中に接触する後身頃の面積が小さくなり、後身頃が背中に貼り付くことを抑制できる。したがって、上半身衣類では、後身頃の接触面積の減少と上半身衣類と背中の間の空気の移動により、汗によって衣類が背中に貼り付くことによる不快感を回避でき、快適な着心地を実現できる。
【０００９】
一実施形態においては、前身頃及び後身頃は、一対の袖刳りを構成しており、立体部は、一対の袖刳りのそれぞれの脇下部を結ぶ直線以下の位置に設けられていてもよい。立体部が上記直線よりも上方に設けられている場合、後身頃と着用者の背中上部とのフィット感が得られ難くなる。これにより、上半身衣類の着用感が低下し得る。上半身衣類では、立体部を一対の脇下部を結ぶ直線以下の位置に設けている。これにより、上半身衣類では、後身頃と着用者とのフィット感を確保しつつ、貼り付きを抑制できる。したがって、上半身衣類では、快適な着心地を実現できる。
【００１０】
一実施形態においては、後身頃は、着用者の背中に対応する背部と、着用者の肩に対応する２つの肩部と、を有しており、立体部は、後身頃の一方の肩部の上端と、当該肩部と中心線に対して反対側に位置する背部の下端部とを結ぶと共に中心線と交差する直線と重なる位置に設けられていてもよい。後身頃は、後身頃にひねりが加わったとき、肩部の上端と背部の下端部とを結ぶ方向に引っ張られるように変形する。上半身衣類では、肩部の上端と背部の下端部とを結ぶ直線と重なる位置に立体部を設けているため、後身頃が背中に貼り付くことをより効果的に抑制できる。
【００１１】
一実施形態においては、立体部は、後身頃の一部が立体縫製されていてもよい。この構成では、立体部の内面が、後身頃の立体部以外の部分の内面よりも外側に位置する立体部を形成できる。したがって、立体部において空隙を形成でき、快適な着心地を実現できる。
【００１２】
一実施形態においては、立体部は、後身頃の一部が折り込まれているタックであってもよい。この構成では、立体部の内面が、後身頃の立体部以外の部分の内面よりも外側に位置する立体部を形成できる。したがって、立体部において空隙を形成でき、快適な着心地を実現できる。
【００１３】
一実施形態においては、立体部は、後身頃の一部が縫い縮められているギャザーであってもよい。この構成では、立体部の内面が、後身頃の立体部以外の部分の内面よりも外側に位置する立体部を形成できる。したがって、立体部において空隙を形成でき、快適な着心地を実現できる。
【発明の効果】
【００１４】
本発明によれば、快適な着心地を実現できる。
【図面の簡単な説明】
【００１５】
【図１】図１（ａ）は、一実施形態に係る上半身衣類の前身頃を示す図であり、図１（ｂ）は、上半身衣類の後身頃を示す図である。
【図２】図２は、後身頃を示す図である。
【図３】図３は、上半身衣類の側面図である。
【図４】図４は、立体部の断面を示す図である。
【図５】図５は、後身頃を構成する第１部材及び第２部材を示す図である。
【図６】図６（ａ）は、従来の上半身衣類の着用時における後身頃を示す図であり、図６（ｂ）は、一実施形態に係る上半身衣類の着用時における後身頃を示す図である。
【図７】図７は、他の実施形態に係る上半身衣類の後身頃を示す図である。
【図８】図８は、他の実施形態に係る上半身衣類の後身頃を示す図である。
【発明を実施するための形態】
【００１６】
以下、添付図面を参照して、本発明の好適な実施形態について詳細に説明する。なお、図面の説明において同一又は相当要素には同一符号を付し、重複する説明は省略する。以下の説明では、便宜上、上半身衣類の着用状態を想定して「上」「下」等の用語を使用する。
【００１７】
図１（ａ）及び図１（ｂ）に示されるように、上半身衣類１は、例えば女性用のキャミソールとして構成されている。上半身衣類１は、衣類正面側の前身頃３と、衣類背面側の後身頃５と、を備えている。前身頃３及び後身頃５は、着用者の上半身を覆うように構成されている。前身頃３及び後身頃５は、例えば、せん断弾性率が高く、且つ、通気性を有する生地によって形成されていることが好ましい。
【００１８】
前身頃３は、着用者の胸及び胴等に対応する前部７と、着用者の肩に対応するストラップ部９と、を有している。前部７とストラップ部９とは、一体に形成されている。前身頃３の上縁部３ａは、上半身衣類１の首刳りに相当し、下方に向かって緩やかな凹状をなしている。前身頃３の左右の脇側上部３ｂ，３ｃは、上半身衣類１のアームホール（袖刳り）１５，１７に相当し、いずれも中心側に向かって緩やかな凹状をなしている。前身頃３の下縁部３ｄは、上半身衣類１の裾に相当し、幅方向（横方向）に延びる直線状となっている。
【００１９】
後身頃５は、着用者の背中等に対応する背部１１と、着用者の肩に対応するストラップ部（肩部）１３と、を有している。背部１１とストラップ部１３とは、一体に形成されている。後身頃５の上縁部５ａは、上半身衣類１の首刳りに相当し、下方に向かって緩やかな凹状をなしている。後身頃５の左右の脇側上部５ｂ，５ｃは、上半身衣類１のアームホール１５，１７に相当し、いずれも中心側に向かって緩やかな凹状をなしている。後身頃５の下縁部５ｄは、上半身衣類１の裾に相当し、幅方向（横方向）に延びる直線状となっている。
【００２０】
前身頃３の前部７と後身頃５の背部１１とは、衣類両脇側で連続し、着用者の上半身を包囲するように筒状を成している。前身頃３のストラップ部９と後身頃５のストラップ部１３とは、衣類上部側で連続している。前身頃３のストラップ部９と後身頃５のストラップ部１３とは、着用者の両肩にそれぞれ正面から背面にかけて掛け渡され、上半身衣類１の着用をサポートする。前身頃３の脇側上部３ｂ，３ｃ及び後身頃５の脇側上部５ｂ，５ｃは、一対のアームホール１５，１７を構成している。
【００２１】
前身頃３の下縁部３ｄの幅寸法Ｗ１は、前身頃３の脇側上部３ｂの下端（脇下部１５ａ）と脇側上部３ｃの下端（脇下部１７ａ）との間の幅寸法（身幅）Ｗ２よりも小さい（Ｗ１＜Ｗ２）。言い換えれば、前身頃３の脇側上部３ｂの下端と脇側上部３ｃの下端との間の幅寸法Ｗ２は、前身頃３の下縁部３ｄの幅寸法Ｗ１よりも大きい。本実施形態では、前身頃３の寸法は、下縁部３ｄから脇側上部３ｂ，３ｃの下端に向かって、直線的に徐々に大きくなっている。幅寸法Ｗ２は、幅寸法Ｗ１に対して、１１０〜１１５％程度大きい。
【００２２】
後身頃５の下縁部５ｄの幅寸法Ｗ３は、後身頃５の脇側上部５ｂの下端（脇下部１５ａ）と脇側上部５ｃの下端（脇下部１７ａ）との間の幅寸法Ｗ４よりも小さい（Ｗ３＜Ｗ４）。言い換えれば、後身頃５の脇側上部５ｂの下端と脇側上部５ｃの下端との間の幅寸法Ｗ４は、後身頃５の下縁部５ｄの幅寸法Ｗ３よりも大きい。本実施形態では、後身頃５の幅寸法は、下縁部５ｄから脇側上部５ｂ，５ｃの下端に向かって、直線的に徐々に大きくなっている。幅寸法Ｗ４は、幅寸法Ｗ３に対して、１１０〜１１５％程度大きい。
【００２３】
続いて、後身頃５の構成について更に詳細に説明する。
【００２４】
図２に示されるように、後身頃５は、立体部２０を有している。立体部２０は、後身頃５の背部１１において、上下方向に沿って延在している。立体部２０は、背部１１の幅方向の中央に沿った中心線Ｌ１から、右側及び左側のそれぞれに向かって緩やかな凸状をなしている。立体部２０は、背面視で、例えば、上下端が尖った略楕円形状となっている。
【００２５】
図３に示されるように、立体部２０は、後身頃５の背部１１の他の部分よりも、背部１１の外側に盛り上がる（突出する）ように立体的に形成されている。図４に示されるように、立体部２０の内面２０ｓと後身頃５の内面５ｓとは連続しており、立体部２０の内面２０ｓは、平置きの状態において、後身頃５の他の部分（立体部２０の周辺部分）の内面５ｓよりも外側に位置する。また、立体部２０の内面２０ｓの長さは、立体部２０の上端と下端とを結ぶ仮想線Ｌの長さ寸法Ｔ３よりも長い。この構成により、立体部２０は、内部に空間（空隙）を形成している。立体部２０は、立体部２０が設けられていない場合に比べて、背部１１において幅方向に１１０〜１１５％程度（２．５ｃｍ〜５．０ｃｍ程度）のゆとりを形成している。
【００２６】
立体部２０を造形する構成について説明する。図５に示されるように、後身頃５は、第１部材６Ａと第２部材６Ｂとが縫合されて構成されている。第１部材６Ａには、突出部８Ａが設けられている。突出部８Ａは、第２部材６Ｂと縫合される縫合部分６Ａａよりも外側に突出しており、外側に向かって緩やかな凸状をなしている。第２部材６Ｂには、突出部８Ｂが設けられている。突出部８Ｂは、第１部材６Ａと縫合される縫合部分６Ｂａよりも外側に突出しており、外側に向かって緩やかな凸状をなしている。立体部２０は、第１部材６Ａの突出部８Ａと第２部材６Ｂの突出部８Ｂとが縫合（立体縫製）されることにより、後身頃５の他の部分よりも外側に盛り上がるように構成されている。
【００２７】
図２に示されるように、立体部２０は、背部１１の中心線Ｌ１を含む位置に配置されている。立体部２０は、アームホール１５の脇下部１５ａとアームホール１７の脇下部１７ａとを結ぶ直線Ｌ２よりも下方に設けられている。すなわち、立体部２０の上端部は、当該直線Ｌ２よりも下方に位置している。本実施形態では、図３に示されるように、アームホール１５，１７の脇下部１５ａ，１７ａと、前身頃３の前部７において着用者の胸に対応するバスト部のバストライン（バストトップを通るライン）７ａの位置とは、同じ高さ位置に設けられている。すなわち、立体部２０は、前身頃３における前部７のバストライン７ａよりも下方に設けられている。立体部２０の下端部は、アームホール１５の脇下部１５ａ及びアームホール１７の脇下部１７ａとの上下方向における間の寸法Ｔ１が３０ｃｍ〜４０ｃｍの範囲に位置していることが好ましい。
【００２８】
図２に示されるように、立体部２０は、ストラップ部１３の上端と、当該ストラップ部１３と中心線Ｌ１に対して反対側に位置する背部１１の下端部とを結ぶ直線Ｌ３と重なる位置に設けられている。背部１１の下端部は、後身頃５の下縁部５ｄに相当する位置である。直線Ｌ３は、中心線Ｌ１と交差する。なお、図２では、図示右側のストラップ部１３の上端と、図示左側の背部１１の下端部とを結ぶ直線Ｌ３を示しているが、図示左側のストラップ部１３の上端と、図示右側の背部１１の下端部とを結ぶ直線であってもよい。
【００２９】
立体部２０の幅寸法Ｗ５は、２．５ｃｍ以上５．０ｃｍ以下であることが好ましい。幅寸法Ｗ５は、立体部２０において、上下方向の中央部での寸法である。立体部２０の中央部は、アームホール１５，１７の脇下部１５ａ，１７ａとの上下方向における間の寸法Ｔ２が１３．５ｃｍ〜１８．５ｃｍの範囲に位置していることが好ましい。
【００３０】
以上説明したように、本実施形態に係る上半身衣類１では、後身頃５が立体部２０を有する。後身頃５の中心線Ｌ１に沿った断面視において、立体部２０の内面２０ｓは、後身頃５の立体部２０以外の部分の内面２０ｓよりも外側に位置している。これにより、立体部２０は、空隙を形成している。したがって、上半身衣類１では、立体部２０において、着用者の背中との間に空隙が設けられるため、後身頃５が背中に貼り付くことを抑制できる。
【００３１】
図６（ａ）は、従来の上半身衣類１００において後身頃１０２にひねりが加わった状態を示している。従来の上半身衣類１００では、後身頃１０２が変形したとき、後身頃１０２に小さな複数の横しわが発生し、後身頃１０２と背中との間の空気が両脇側に向かって移動するが、背中に接触する後身頃１０２の面積が大きく、後身頃１０２が背中に貼り付く。
【００３２】
図６（ｂ）は、本実施形態に係る上半身衣類１において後身頃５にひねりが加わった状態を示している。図６（ｂ）に示されるように、上半身衣類１では、後身頃５にひねりが加わって後身頃５が変形したとき、立体部２０から斜め方向に大きなしわが発生し、後身頃５と背中との間の空気は、中心線Ｌ１を含む位置に設けられている立体部２０から斜め方向に向かって移動する。そのため、上半身衣類１では、立体部２０において、着用者の背中との間に空隙が設けられ、背中に接触する後身頃５の面積が小さくなり、後身頃５が背中に貼り付くことを抑制できる。したがって、上半身衣類１では、後身頃５の接触面積の減少と上半身衣類１と背中の間の空気の移動により、汗によって上半身衣類１が背中に貼り付くことによる不快感を回避でき、快適な着心地を実現できる。
【００３３】
本実施形態に係る上半身衣類１では、立体部２０は、一対の脇下部１５ａ，１７ａを結ぶ直線Ｌ２以下の位置に設けられている。立体部２０が当該直線Ｌ２よりも上方に設けられている場合、後身頃５と着用者の背中上部とのフィット感が得られ難くなる。そのため、着用性が低下し得る。上半身衣類１では、立体部２０を一対の脇下部１５ａ，１７ａを結ぶ直線Ｌ２以下の位置に設けている。これにより、後身頃５と着用者とのフィット感を確保しつつ、貼り付きを抑制できる。したがって、上半身衣類１では、快適な着心地を実現できる。
【００３４】
本実施形態に係る上半身衣類１では、後身頃５は、着用者の背中に対応する背部１１と、着用者の肩に対応する２つのストラップ部１３と、を有している。立体部２０は、後身頃５の一方のストラップ部１３の上端と、ストラップ部１３と中心線Ｌ１に対して反対側に位置する背部１１の下端部とを結ぶと共に中心線Ｌ１と交差する直線Ｌ３と重なる位置に設けられている。後身頃５は、後身頃５にひねりが加わったとき、ストラップ部１３の上端と背部１１の下端部とを結ぶ方向に引っ張られるように変形する。上半身衣類１では、ストラップ部１３の上端と背部１１の下端部とを結ぶ直線Ｌ３と重なる位置に立体部２０を設けているため、後身頃５が背中に貼り付くことをより効果的に抑制できる。
【００３５】
本実施形態に係る上半身衣類１では、立体部２０は、後身頃５の一部が立体縫製されている。この構成では、立体部２０の内面２０ｓが、後身頃５の立体部２０以外の部分の内面５ｓよりも外側に位置する立体部２０を形成できる。したがって、上半身衣類１では、立体部２０において空隙を形成でき、快適な着心地を実現できる。
【００３６】
本実施形態に係る上半身衣類１では、後身頃５の脇側上部５ｂの下端と脇側上部５ｃの下端との間の幅寸法は、後身頃５の下縁部５ｄの幅寸法よりも大きい。この構成では、後身頃５の上部側の全体において、ゆとりが設けられている。これにより、上半身衣類１では、後身頃５の上部側が背中に貼り付くことをより一層抑制できる。
【００３７】
以上、本発明の実施形態について説明してきたが、本発明は必ずしも上述した実施形態に限定されるものではなく、その要旨を逸脱しない範囲で様々な変更が可能である。
【００３８】
上記実施形態では、上半身衣類１が女性用のキャミソールである形態を一例に説明した。しかし、上半身衣類は、キャミソールに限定されず、例えば、タンクトップ等であってもよいし、Ｔシャツ等の袖部を有する衣類であってもよい。また、上半身衣類は、女性用に限定されず、男性用であってもよい。
【００３９】
上記実施形態では、図５に示されるように、突出部８Ａと突出部８Ｂとを縫合することによって立体部２０が構成されている形態を一例に説明した。しかし、立体部２０は、例えば、後身頃５の一部に熱処理を行うことによって立体的に形成されていてもよい。
【００４０】
上記実施形態では、立体部２０が、脇下部１５ａと脇下部１７ａとを結ぶ直線Ｌ２よりも下方に設けられている形態を一例に説明した。しかし、立体部２０は、当該直線Ｌ２よりも上方に設けられていてもよい。
【００４１】
上記実施形態では、立体部２０が１つ設けられている形態を一例に説明した。しかし、立体部２０は、複数に分割されて設けられていてもよい。
【００４２】
上記実施形態では、図２に示されるように、直線Ｌ３が、ストラップ部１３の上端と、後身頃５の下縁部５ｄに相当する背部１１の下端部とを結ぶ直線である形態を一例に説明した。しかし、背部１１の下端部は、後身頃５の下縁部５ｄに限定されない。背部１１の下端部は、下縁部５ｄよりも上方の位置（アームホール１５の脇下部１５ａ及びアームホール１７の脇下部１７ａから３０〜４０ｃｍの範囲に位置）であってもよい。
【００４３】
上記実施形態では、図５に示されるように、第１部材６Ａの突出部８Ａと第２部材６Ｂの突出部８Ｂとが縫合されることによって形成されている立体部２０が設けられている形態を一例に説明した。しかし、立体部２０の構造はこれに限定されない。
【００４４】
図７に示されるように、後身頃５Ａに設けられる立体部２０Ａは、タックであってもよい。立体部２０Ａは、後身頃５Ａの一部が折り込まれて形成されている。この構成においても、後身頃５Ａの中心線Ｌ１に沿った断面視において、立体部２０Ａの内面は、後身頃５Ａの立体部２０Ａ以外の部分の内面よりも外側に位置している。
【００４５】
図８に示されるように、後身頃５Ｂに設けられる立体部２０Ｂは、ギャザーであってもよい。立体部２０Ｂは、後身頃５Ｂの一部が縫い縮められて形成されている。この構成においても、後身頃５Ｂの中心線Ｌ１に沿った断面視において、立体部２０Ｂの内面は、後身頃５Ｂの立体部２０Ｂ以外の部分の内面よりも外側に位置している。
【符号の説明】
【００４６】
１…上半身衣類、３…前身頃、５，５Ａ，５Ｂ…後身頃、５ｓ…内面、１５…アームホール（袖刳り）、１５ａ…脇下部、１７…アームホール（袖刳り）、１７ａ…脇下部、２０，２０Ａ，２０Ｂ…立体部、２０ｓ…内面、Ｌ１…中心線、Ｌ２…直線、Ｌ３…直線。
【図１】
2019178435.tif 000003
【図２】
2019178435.tif 000004
【図３】
2019178435.tif 000005
【図４】
2019178435.tif 000006
【図５】
2019178435.tif 000007
【図６】
2019178435.tif 000008
【図７】
2019178435.tif 000009
【図８】
2019178435.tif 000010